(57)【要約】【課題】  外部からの負荷に対する十分な保護機能を有すると共に、コネクタの破損時にもカップリングナットの締結機能が損なわれ難く、且つ容易に部品交換して対処できる構造のコネクタを提供すること。【解決手段】  このプラグコネクタ１の場合、レセプタクルコネクタ２に対する嵌合離脱方向Ｍ２と同一直線上の鉛直方向にある取り付け方向Ｍ１に従って、カップリングナット７の全体及び本体部の一部を着脱自在なカバー３で覆ってナット７と一体的に回転動作するように固定保持して回転操作に供すると共に、ナット７を備えた本体部，カバー３をナット７へ固定するための止めねじ４，及び嵌合接続時のレセプタクルコネクタ２の相手側本体部に対してカバー３を十分に封止できるように封止部材（“Ｏ”リング５ａ，５ｂ及びガスケット６ａ）を装着するようにして、外部からの環境負荷に対する十分な保護機能を持たせている。【選択図】      図１
2006351304.tif 000002
【特許請求の範囲】
【請求項１】
本体部の一端側外周にカップリングナットが回転自在に装着保持されて成ると共に、該本体部を相手側コネクタにおける相手側本体部の開口部に対して嵌合した状態で該カップリングナットを回転操作して締結することにより該相手側本体部を該本体部に対して押圧接触させて接続保持する構造を有し、且つ該本体部及び該カップリングナットの間の所定箇所には該本体部と該相手側本体部とを封止するための第１の封止部材が装着されて成るコネクタにおいて、前記カップリングナットの全体と前記本体部の少なくとも一部とを覆うように該カップリングナットに対して固定保持されると共に、前記相手側コネクタとの嵌合接続に際して該カップリングナットと一体的に回転動作して回転操作に供される着脱自在な略円筒状のカバーと、前記カップリングナット近傍の前記カバー及び前記本体部の間に装着されて該カバーと該本体部とを封止するための第２の封止部材とを有することを特徴とするコネクタ。
【請求項２】
請求項１記載のコネクタにおいて、前記カバーを前記カップリングナットに対して固定するための固定部材を有することを特徴とするコネクタ。
【請求項３】
請求項２記載のコネクタにおいて、前記固定部材及び前記カバーの間に装着されて該固定部材と該カバーとを封止するための第３の封止部材を有することを特徴とするコネクタ。
【請求項４】
請求項１〜３の何れか一つに記載のコネクタにおいて、前記相手側コネクタは、前記相手側本体部よりも外方へ突出する鍔部を有し、前記相手側本体部の嵌合方向側の前記鍔部に沿った部分に装着されると共に、嵌合接続時に前記カバーの端部に対して当接係止されて該カバーと該相手側本体部とを封止するための第４の封止部材を有することを特徴とするコネクタ。
【発明の詳細な説明】
【技術分野】
【０００１】
本発明は、主として本体部を相手側コネクタにおける相手側本体部の開口部に対して嵌合挿入した状態でカップリングナットを回転操作して締結することにより相手側本体部を本体部に対して押圧接触保持させて嵌合接続する構造を持つと共に、本体部及びカップリングナットの間に本体部と相手側本体部とを封止するための封止部材が装着されて成るコネクタに関する。
【背景技術】
【０００２】
従来、この種のコネクタとしては、例えば図７に示す構造のもの（開発・製品化済みであるが、文献公知に係る発明でないもの）が挙げられる。このプラグコネクタ１は、本体部の一端側外周にカップリングナット７が回転自在に装着保持されて成るもので、本体部を相手側コネクタであるレセプタクルコネクタ２における相手側本体部の開口部に対して嵌合した状態でカップリングナット７を回転操作して締結することにより相手側本体部を本体部に対して押圧接触させて接続保持する構造を有している。
【０００３】
このプラグコネクタ１の場合、本体部及びカップリングナット７の間の所定箇所には本体部と相手側本体部とを封止するための封止部材として、挿入方向手前側の所定箇所にはガスケット６が装着されて外部からの水，油，埃等が入り込むのを防止できるようになっており、又挿入方向奥側の所定箇所には“Ｏ”リング５が装着されて同様に外部からの水，油，埃等が入り込むのを防止できるようになっている。尚、レセプタクルコネクタ２は、相手側本体部よりも外方へ突出する鍔部を有しているが、プラグコネクタ１との嵌合接続時には、プラグコネクタ１の本体部の端部に対して鍔部が当接されない箇所で位置決めされて嵌合接続されるようになっている。
【０００４】
因みに、ここでのプラグコネクタ１は、本体部及びカップリングナット７の間に“Ｏ”リング５やガスケット６等による封止部材を設けて外部環境からの保護機能を持たせたものであるが、同様な目的に関連する周知技術としては、例えば簡易な構造で電装品ユニットケースの封止（シール）が図られるようにしたもの（特許文献１参照）等がある。
【０００５】
【特許文献１】特開平１０−５０３９２号公報（要約、図２）
【発明の開示】
【発明が解決しようとする課題】
【０００６】
上述した図７に示したコネクタ（プラグコネクタ）の場合、本体部及びカップリングナットの間に封止部材を装着して外部環境からの保護機能を持たせているが、外部からの環境負荷に対して十分に保護対処し得る保護構造部を持たないため、利用者の取り扱いが雑であったり、衝撃や高圧等の予想外の大きな環境負荷が加えられたりすると、特にカップリングナットの近傍箇所が破損して封止部材の封止機能が損なわれたり、或いはカップリングナットの締結機能が損なわれてしまう等、コネクタが破損されてしまうことがあり、こうしたコネクタの破損時に際してはコネクタ自体を交換しなければならず、補修工数や手間がかかってしまい、不便であるばかりでなく費用も高くなってしまうという問題がある。
【０００７】
本発明は、このような問題点を解決すべくなされたもので、その技術的課題は、外部からの環境負荷に対して十分な保護機能を有すると共に、コネクタの破損時にもカップリングナットの締結機能が損なわれ難く、且つ容易に部品交換して対処できる構造のコネクタを提供することにある。
【課題を解決するための手段】
【０００８】
本発明によれば、本体部の一端側外周にカップリングナットが回転自在に装着保持されて成ると共に、該本体部を相手側コネクタにおける相手側本体部の開口部に対して嵌合した状態で該カップリングナットを回転操作して締結することにより該相手側本体部を該本体部に対して押圧接触させて接続保持する構造を有し、且つ該本体部及び該カップリングナットの間の所定箇所には該本体部と該相手側本体部とを封止するための第１の封止部材が装着されて成るコネクタにおいて、カップリングナットの全体と本体部の少なくとも一部とを覆うように該カップリングナットに対して固定保持されると共に、相手側コネクタとの嵌合接続に際して該カップリングナットと一体的に回転動作して回転操作に供される着脱自在な略円筒状のカバーと、カップリングナット近傍のカバー及び本体部の間に装着されて該カバーと該本体部とを封止するための第２の封止部材とを有するコネクタが得られる。
【０００９】
又、本発明によれば、上記コネクタにおいて、カバーをカップリングナットに対して固定するための固定部材を有するコネクタが得られる。
【００１０】
更に、本発明によれば、上記コネクタにおいて、固定部材とカバーとの間に装着されて該固定部材と該カバーとを封止するための第３の封止部材を有するコネクタが得られる。
【００１１】
加えて、本発明によれば、上記何れか一つのコネクタにおいて、相手側コネクタは、相手側本体部よりも外方へ突出する鍔部を有し、相手側本体部の嵌合方向側の鍔部に沿った部分に装着されると共に、嵌合接続時にカバーの端部に対して当接係止されて該カバーと該相手側本体部とを封止するための第４の封止部材を有するコネクタが得られる。
【発明の効果】
【００１２】
本発明のコネクタの場合、本体部及びカップリングナットの間に封止部材が装着された周知構造を活用し、カップリングナットの全体及び本体部の一部を着脱自在なカバーで覆ってカップリングナットと一体的に回転動作するように固定保持して回転操作に供すると共に、カバーを十分に封止できるように別途適所（カップリングナットを備えた本体部，カバーをカップリングナットへ固定するための固定部材，嵌合接続時の相手側コネクタにおける本体部）に対して封止部材を装着して外部からの環境負荷に対して十分な保護機能を持たせているので、カップリングナット及びその近傍部分がカバーにより保護されてコネクタ自体が破損され難くなる上、例えば使用中に表面のカバーが破損された場合のようなコネクタの破損時に際しても、周知構造の基本構造部が大丈夫であればそのカップリングナットの締結機能や封止部材による封止機能が損なわれず、カバーを部品交換して容易に対処できるようになる。結果として、本発明のコネクタの場合、使用上の信頼性及び耐久性が向上し、しかも従来に無くコネクタの破損時に容易に安い費用で補修を行うことができることによりメンテナンスの利便性が向上するようになる。
【発明を実施するための最良の形態】
【００１３】
本発明の最良の形態に係るコネクタは、本体部及びカップリングナットの間に封止部材が装着された周知構造のもの（図７を参照して説明したもの）を活用し、カップリングナットの全体及び本体部の一部を着脱自在なカバーで覆ってカップリングナットと一体的に回転動作するように固定保持して回転操作に供すると共に、カバーを十分に封止できるように別途適所に対して封止部材を装着するようにして、外部からの環境負荷に対して十分な保護機能を持たせたものである。
【００１４】
即ち、本体部の一端側外周にカップリングナットが回転自在に装着保持されて成ると共に、本体部を相手側コネクタにおける相手側本体部の開口部に対して嵌合した状態でカップリングナットを回転操作して締結することにより相手側本体部を本体部に対して押圧接触させて接続保持する構造を有し、且つ本体部及びカップリングナットの間の所定箇所には本体部と相手側本体部とを封止するための第１の封止部材が装着されて成る周知構造のコネクタにおいて、カップリングナットの全体と本体部の少なくとも一部とを覆うようにカップリングナットに対して固定保持されると共に、相手側コネクタとの嵌合接続に際してカップリングナットと一体的に回転動作して回転操作に供される着脱自在な略円筒状のカバーと、カップリングナット近傍のカバー及び本体部の間に装着されてカバーと本体部とを封止するための第２の封止部材とを有するものである。
【００１５】
このコネクタの場合、カバーをカップリングナットに対して固定するための固定部材を有することや、固定部材及びカバーの間に装着されて固定部材とカバーとを封止するための第３の封止部材を有することが好ましい。又、何れの構造のものにおいても、相手側コネクタが相手側本体部よりも外方へ突出する鍔部を有する場合には、相手側本体部の嵌合方向側の鍔部に沿った部分に装着されると共に、嵌合接続時にカバーの端部に対して当接係止されてカバーと相手側本体部とを封止するための第４の封止部材を有することが好ましい。
【００１６】
このような構造のコネクタによれば、外部からの環境負荷に対する十分な保護機能を持つことにより、本体部との間で封止されるように設けられたカバーの存在によってカップリングナット及びその近傍部分が保護され、コネクタの基本構造部である周知構造が破損され難くなる他、コネクタの破損時に際してもカバーの破損であればこれを他の部品に交換して容易に対処することができる。
【００１７】
以下は、具体的な実施例を挙げ、本発明のコネクタについて、より詳細に説明する。
【実施例１】
【００１８】
図１は、本発明の実施例１に係るプラグコネクタ１の基本構造を相手側コネクタであるレセプタクルコネクタ２との嵌合接続前後において一部断面にして示した側面図であり、同図（ａ）は嵌合接続後の側面図に関するもの，同図（ｂ）は嵌合接続前の側面図に関するものである。
【００１９】
図１を参照すれば、実施例１に係るプラグコネクタ１は、図７に示した周知構造をそのまま活用しており、本体部の一端側外周にカップリングナット７が回転自在に装着保持されて成ると共に、本体部を相手側コネクタであるレセプタクルコネクタ２における相手側本体部の開口部に対して嵌合した状態でカップリングナット７を回転操作して締結することにより相手側本体部を本体部に対して押圧接触させて接続保持する機能構造と、本体部及びカップリングナット７の間の所定箇所に本体部と相手側本体部とを封止するために装着された第１の封止部材としての“Ｏ”リング５及びガスケット６とを有する点は同じであるが、それ以外にカップリングナット７の全体と本体部の少なくとも一部とを覆うようにカップリングナット７に対して固定保持されると共に、レセプタクルコネクタ２との嵌合接続に際してカップリングナット７と一体的に回転動作して回転操作に供される着脱自在な略円筒状のカバー３と、カップリングナット７近傍のカバー３及び本体部の間に装着されてカバー３と本体部とを封止するための第２の封止部材としてのガスケット６ａとを有する点が特色となっている。
【００２０】
その他、カバー３の円周方向における１２０度間隔での３箇所には、カバー３をカップリングナット７に対して保持固定するための固定部材としての止めねじ４が設けられており、これらの止めねじ４とカバー３との間にはそれらを封止するための第３の封止部材としての“Ｏ”リング５ａが装着され、更に嵌合接続時にカバー３の端部に対して当接係止されてカバー３と相手側本体部とを封止するための第４の封止部材としての“Ｏ”リング５ｂがレセプタクルコネクタ２における相手側本体部の嵌合方向側の鍔部に沿った部分に装着された構造となっていることも特色となっている。
【００２１】
このうち、各封止部材である“Ｏ”リング５ａ，５ｂ及びガスケット６ａは、何れもゴム製で良く、周知構造の基本構造部における本体部及びカップリングナット７の間に装着された“Ｏ”リング５やガスケット６の場合と同様な機能を有し、外部から水，油，埃等が入り込むのを防止できるようになっている。
【００２２】
即ち、この実施例１に係るプラグコネクタ１の場合、レセプタクルコネクタ２に対する嵌合離脱方向Ｍ２と同一直線上の鉛直方向にあるカバー３の取り付け方向Ｍ１に従って、カップリングナット７の全体及び本体部の一部を着脱自在なカバー３で覆ってカップリングナット７と一体的に回転動作するように固定保持して回転操作に供すると共に、カップリングナット７を備えた本体部，カバー３をカップリングナット７へ固定するための止めねじ４，及び嵌合接続時のレセプタクルコネクタ２の相手側本体部に対してカバー３を十分に封止できるように封止部材（“Ｏ”リング５ａ，５ｂ及びガスケット６ａ）を装着して外部からの環境負荷に対する十分な保護機能を持たせているので、カップリングナット７及びその近傍部分がカバー３により保護されてコネクタ自体が破損され難くなる上、例えば使用中に表面のカバー３が破損された場合のようなコネクタの破損時に際しても、周知構造の基本構造部が大丈夫であればそのカップリングナット７の締結機能や封止部材（“Ｏ”リング５及びガスケット６）による封止機能が損なわれず、カバー３を部品交換して容易に対処することができる。
【００２３】
ところで、ここでのカバー３は、プラグコネクタ１のカップリングナット７を覆うように本体部に対して取り付けられた後、レセプタクルコネクタ２との嵌合接続を行う構造のものであるため、以下はそのための手順を説明する。
【００２４】
図２は、上述したプラグコネクタ１及びレセプタクルコネクタ２の嵌合接続前状態を示した側面図である。
【００２５】
ここでは、図７で説明した周知構造のものを基本構造部としてそのまま用いることを前提としており、カップリングナット７を有するプラグコネクタ１に対し、カップリングナット７を時計回り（右回り）に回して締結力を緩めて隙間を広げておくことにより、矢印で示される向き（鉛直方向）に従ってレセプタクルコネクタ２の相手側本体部の開口部に対してプラグコネクタ１の本体部を嵌合させることができること、或いはプラグコネクタ１に嵌合接続されたレセプタクルコネクタ２を矢印と逆向き方向に抜き取ることができることを示している。
【００２６】
図３は、これらのプラグコネクタ１とレセプタクルコネクタ２との嵌合接続に先立つ各部に対する封止部材の装着状態を示した側面図である。
【００２７】
ここでは、レセプタクルコネクタ２に対して、相手側本体部の嵌合方向側の鍔部に沿った部分に“Ｏ”リング５ｂを軽く伸ばして若干押し広げながら装着し、プラグコネクタ１に対して、カップリングナット７の外周を通してその下部に位置されるようにガスケット６ａを軽く伸ばして若干押し広げながら装着する様子を示している。
【００２８】
図４は、封止部材（ガスケット６ａ）が装着されたプラグコネクタ１に対するカバ−３の組み付け前状態を示した側面図である。
【００２９】
ここでは、ガスケット６ａが装着されたプラグコネクタ１に対して、カップリングナット７の外径よりも大きな内径を持つカバー３を矢印で示される向き（鉛直方向）で組み付けることを示している。尚、カバー３には、予め円周方向における１２０度間隔での３箇所に止めねじ４が設けられており、カバー３をカップリングナット７に対して簡単に保持固定できるようになっている。
【００３０】
図５は、封止部材（ガスケット６ａ）が装着されたプラグコネクタ１に対するカバ−３の組み付け後状態を示した側面図である。
【００３１】
ここでは、上述したカップリングナット７の外径よりも大きな内径を持つカバー３をカップリングナット７及びガスケット６ａを覆うようにプラグコネクタ１における本体部に組み付けた後、カバー３の円周方向における３箇所の止めねじ４を締結してカバー３をカップリングナット７に対して固定保持することを示している。これによりカバー３は、カップリングナット７と一体的に回転動作する構造となり、レセプタクルコネクタ２との嵌合接続に際して回転操作に供されるものとなる。
【００３２】
図６は、上述したカバ−３が組み付けられたプラグコネクタ１に対するレセプタクルコネクタ２の嵌合接続状態を示した側面図である。
【００３３】
ここでは、プラグコネクタ１に組み付けられたカバ−３がカップリングナット７の回転操作に代用されるため、カバ−３を時計回り（右回り）に回してカップリングナット７の締結力を緩めて隙間を広げておき、鉛直方向に従ってレセプタクルコネクタ２の相手側本体部の開口部に対してプラグコネクタ１の本体部を嵌合させた後、カバ−３を図６中に示される矢印の反時計回り（左回り）に回してカップリングナット７を締結させることにより、レセプタクルコネクタ２の相手側本体部をプラグコネクタ１の本体部に対して押圧接触させて接続保持することを示している。このようにカップリングナット７に代用されるカバ−３を回転操作することにより、プラグコネクタ１に対するレセプタクルコネクタ２の嵌合接続が完了する。
【産業上の利用可能性】
【００３４】
本発明のコネクタに適用されるカバ−は、周知構造のコネクタを対象として着脱し得るものであるため、予めカバ−付きのコネクタを相手側コネクタとの嵌合接続に供する以外、周知構造のコネクタにおいて封止機能が劣化している場合に緊急処置用の補修部品としても使用することができる。
【図面の簡単な説明】
【００３５】
【図１】本発明の実施例１に係るプラグコネクタの基本構造を相手側コネクタであるレセプタクルコネクタとの嵌合接続前後において一部断面にして示した側面図であり、（ａ）は嵌合接続後の側面図に関するもの，（ｂ）は嵌合接続前の側面図に関するものである。
【図２】図１に示したプラグコネクタ及びレセプタクルコネクタの嵌合接続前状態を示した側面図である。
【図３】図２に示したプラグコネクタとレセプタクルコネクタとの嵌合接続に先立つ各部に対する封止部材の装着状態を示した側面図である。
【図４】図３に示した封止部材が装着されたプラグコネクタに対するカバ−の組み付け前状態を示した側面図である。
【図５】図４に示したプラグコネクタに対するカバ−の組み付け後状態を示した側面図である。
【図６】図５に示したカバ−が組み付けられたプラグコネクタに対するレセプタクルコネクタの嵌合接続状態を示した側面図である。
【図７】従来の本体部及びカップリングナットの間に封止部材が設けられた構造のプラグコネクタの基本構造を相手側コネクタであるレセプタクルコネクタとの嵌合接続状態において一部断面にして示した側面図である。
【符号の説明】
【００３６】
１  プラグコネクタ
２  レセプタクルコネクタ
３  カバー
４  止めねじ
５，５ａ，５ｂ  “Ｏ”リング
６，６ａ  ガスケット
７  カップリングナット
【図１】
2006351304.tif 000003
【図２】
2006351304.tif 000004
【図３】
2006351304.tif 000005
【図４】
2006351304.tif 000006
【図５】
2006351304.tif 000007
【図６】
2006351304.tif 000008
【図７】
2006351304.tif 000009